(57)【要約】【課題】消防ホースを円滑に敷設することができ、消防ホースを容易に巻取ることができる消防ホース敷設巻取装置を提供する。【解決手段】消防ホース敷設巻取装置１を、扁平状態の消防ホースよりも僅かに広い幅を隔てて平行対峙した二枚の案内部１２、二枚の案内部１２の中央部分を連結し、消防ホースの端部の接続金具を内部に収容可能な巻付部１３、二本の回転軸１１を備えた巻取部材１０と、二本の回転軸１１にそれぞれ回転可能に取付けられた二本の腕部１６ｂを二枚の案内部１２の外側で連結する把持部１６ａを備えた運搬ハンドル１６と、二本の回転軸１１をそれぞれ回転可能、且つ着脱可能に支持する二個の軸受部１７ｃを巻取部材１０が回転可能な高さで水平に支持する軸受支持部１７ｂを備えた支持台１７と、回転軸１１に取付けられ、支持台１７に支持された巻取部材１０を回転させる回転ハンドル１９とを具備する構成とする。【選択図】図１
2017137147.tif 000002
【特許請求の範囲】
【請求項１】
扁平状態の消防ホースよりも僅かに広い幅を隔てて平行対峙した二枚の案内部、
前記二枚の案内部の中央部分を連結しており、前記消防ホースを巻付可能なホース巻付面に設けられた開口から前記消防ホースの端部に取付けられた接続金具を挿入して内部の収容空間に収容可能な巻付部、
前記二枚の案内部のそれぞれの中心から外側へ同一軸上に突設された二本の回転軸を備えた巻取部材と、
前記二本の回転軸にそれぞれ回転可能に取付けられ、前記二枚の案内部の径方向に延びた二本の腕部、
前記二本の腕部を前記二枚の案内部の外側で連結する把持部を備えた運搬ハンドルと、
前記二本の回転軸をそれぞれ回転可能、且つ着脱可能に支持する二個の軸受部、
前記二個の軸受部を、前記巻取部材が回転可能な高さで水平に支持する軸受支持部、
前記軸受支持部が配設された基台、を備えた支持台と、
前記回転軸に取付けられ、前記支持台に支持された前記巻取部材を回転させる回転ハンドルと
を具備することを特徴とする消防ホース敷設巻取装置。
【請求項２】
前記消防ホースが扁平状態で挿通可能な隙間、前記隙間に前記消防ホースを差入れ可能な差入孔を有する誘導部、
前記誘導部の隙間を通過した前記消防ホースが前記支持台に支持された前記巻取部材へ直線的に誘導される位置に前記誘導部を支持しており、前記基台に配設された誘導支持部を備えた誘導部材
を具備することを特徴とする請求項１に記載の消防ホース敷設巻取装置。
【発明の詳細な説明】
【技術分野】
【０００１】
本発明は、消防ホースの敷設作業、及び巻取作業に使用する消防ホース敷設巻取装置に関するものである。
【背景技術】
【０００２】
消火活動の際に、消火栓や消防ポンプ車から火災現場へと水を運搬するために消防ホースが使用される。消防ホースは、通常断面円形の状態から断面が扁平な状態に畳んだのち、巻かれて保管されている。このため、使用する際は巻かれた消防ホースを伸ばして敷設する必要がある。なお、消防ホースの巻き方には、長さ方向の略中央の部分で折返して両端に設けられた接続金具の位置を合わせたのち、折返し部分から接続金具側へ巻く所謂二重巻や、一方の接続金具を中心にして巻く所謂一重巻などがある。
【０００３】
消防ホースの敷設作業は、通常手作業で行われている。消防ホースが二重巻の状態であれば、消防ホースを広げて二つ折りの状態にしたのち、作業者が一方の接続金具を把持して目的の場所まで移動して伸ばしていた。この際、消防ホースを絡めずに敷設する必要があるが、住宅が密集した場所や狭い路地など作業場所が限られていると、作業がより煩雑なものとなっていた。
【０００４】
消防ホースを回収する際は、消防ホースを再び巻いた状態にして回収する。消防ホースを巻取る作業も通常手作業で行われるが、使用された消防ホースは水で濡れて重くなっていることに加え、油煙や汚泥で汚れているため、作業負担が大きかった。
【０００５】
更に、消火活動に使用した消防ホースは、濡れているため乾かす必要がある。消防ホースを乾かす場合は、回収した消防ホースを伸ばし、高所に吊るなどして乾かす。そして、乾いた消防ホースを再度巻いた状態にして保管する。このように、消防ホースの敷設作業と巻取作業は繰返し行われており、作業に多大な労力を要していた。
【発明の概要】
【発明が解決しようとする課題】
【０００６】
そこで、本発明は、上記の実情に鑑み、消防ホースを円滑に敷設することができ、消防ホースを容易に巻取ることができる消防ホース敷設巻取装置の提供を、課題とするものである。
【課題を解決するための手段】
【０００７】
請求項１の発明にかかる消防ホース敷設巻取装置は、
「扁平状態の消防ホースよりも僅かに広い幅を隔てて平行対峙した二枚の案内部、
前記二枚の案内部の中央部分を連結しており、前記消防ホースを巻付可能なホース巻付面に設けられた開口から前記消防ホースの端部に取付けられた接続金具を挿入して内部の収容空間に収容可能な巻付部、
前記二枚の案内部のそれぞれの中心から外側へ同一軸上に突設された二本の回転軸を備えた巻取部材と、
前記二本の回転軸にそれぞれ回転可能に取付けられ、前記二枚の案内部の径方向に延びた二本の腕部、
前記二本の腕部を前記二枚の案内部の外側で連結する把持部を備えた運搬ハンドルと、
前記二本の回転軸をそれぞれ回転可能、且つ着脱可能に支持する二個の軸受部、
前記二個の軸受部を、前記巻取部材が回転可能な高さで水平に支持する軸受支持部、
前記軸受支持部が配設された基台、を備えた支持台と、
前記回転軸に取付けられ、前記支持台に支持された前記巻取部材を回転させる回転ハンドルとを具備する」ものである。
【０００８】
本構成の消防ホース敷設巻取装置は、支持台に回転可能、且つ着脱可能に支持される巻取部材を具備している。消防ホースは、一方の端部に取付けられた接続金具（通常はオス型の接続金具）を巻付部の収容空間に収容し、ホース巻付面に巻付けることができる。そして、着脱可能に構成された巻取部材とともに保管することができる。
【０００９】
消防ホースを敷設する際は、巻取部材に巻取られた消防ホースの接続金具（メス型の接続金具）を消火栓に連結するなどして固定したのち、運搬ハンドルを把持して目的の場所へ移動する。巻取部材が運搬ハンドルに回転可能に取付けられていることにより、巻取部材が回転して消防ホースが順次引出される。従って、消防ホースを事前に広げる作業を必要とせずに敷設することができる。また、消防ホースは、二枚の案内部に案内されて移動方向に対して直線的に引出される。これにより、消防ホースがねじれたり、絡まったりしにくく、円滑に消防ホースを敷設することができる。
【００１０】
また、消防ホースを巻取る際は、巻取部材の二本の回転軸を支持台の二個の軸受部にそれぞれ支持させる。そして、消防ホースの接続金具を収容空間に収容したのち、回転ハンドルを回して巻取部材を回転させることにより、消防ホースを巻取る。この際、巻付部に平行対峙した二枚の案内部が連結されていることにより、消防ホースが幅方向にズレにくい。これにより、消防ホースを容易に巻取ることができる。
【００１１】
請求項２の発明にかかる消防ホース敷設巻取装置は、上記構成に加え、
「前記消防ホースが扁平状態で挿通可能な隙間、前記隙間に前記消防ホースを差入れ可能な差入孔を有する誘導部、
前記誘導部の隙間を通過した前記消防ホースが前記支持台に支持された前記巻取部材へ直線的に誘導される位置に前記誘導部を支持しており、前記基台に配設された誘導支持部を備えた誘導部材を具備する」ものである。
【００１２】
本構成の消防ホース敷設巻取装置は、支持台に誘導部材を備えている。消防ホースを巻取る際に、誘導部の隙間に消防ホースを通すことにより、消防ホースは巻取部材へ直線的に誘導される。従って、より円滑に消防ホースを巻取ることができる。また、誘導部の隙間に挿通させることにより、消防ホースが扁平状態に畳まれるため巻取りやすくなる。更に、消防ホース内に水が残留している場合は、他端側へ内部の水を送出すことができる。
【発明の効果】
【００１３】
以上のように、本発明の効果として、消防ホースを円滑に敷設することができ、消防ホースを容易に巻取ることができる消防ホース敷設巻取装置を、提供することができる。
【図面の簡単な説明】
【００１４】
【図１】本発明の一実施形態である消防ホース敷設巻取装置の斜視図である。
【図２】図１の消防ホース敷設巻取装置の巻取部材の正面図である。
【図３】図１の消防ホース敷設巻取装置の敷設作業を説明する図である。
【図４】図１の消防ホース敷設巻取装置の巻取作業を説明する図である。
【発明を実施するための形態】
【００１５】
以下、本発明の一実施形態である消防ホース敷設巻取装置１について図１乃至図４を用いて説明する。なお、図２では運搬ハンドル１６の図示を省略し、図４では、運搬ハンドル１６と回転ハンドル１９の図示を省略している。
【００１６】
本実施形態の消防ホース敷設巻取装置１は、図１，２に示すように、消防ホース３０を巻付ける巻付部１３を備えた巻取部材１０と、巻取部材１０を回転自在、且つ、着脱可能に支持する支持台１７、巻取部材１０を運搬する際に使用する運搬ハンドル１６、支持台１７に支持された巻取部材１０を回転させる回転ハンドル１９、及び巻取部材１０に消防ホース３０を誘導する誘導部材１８とを具備している。
【００１７】
巻取部材１０は、円形の平板である二枚の案内部１２、複数の棒状部材１３ａ、二枚の案内部１２のそれぞれの中心から突設された二本の回転軸１１を備えている。
【００１８】
棒状部材１３ａは略円柱状で七本ある。七本の棒状部材１３ａは、それぞれ円柱部分の両端に円柱部分よりも径が小さい雄ネジを有している。棒状部材１３ａの円柱部分の長さは、扁平状態の消防ホース３０の幅よりも僅かに長くなっている。ここで、消防ホース３０の直径には種々の種類があり、通常扁平状態で巻取られる。例えば、直径６５ｍｍの消防ホース３０が扁平状態に畳まれたときの幅は約１０２ｍｍになる。つまり、直径６５ｍｍの消防ホース３０を巻取る巻取部材１０の棒状部材１３ａの円柱部分の長さは、約１０２ｍｍより僅か（５ｍｍ〜４０ｍｍ）に長い。
【００１９】
七本の棒状部材１３ａは、二枚の案内部１２の同心円Ａの円周上にそれぞれ穿設された七個の貫通孔に両端の雄ネジを挿通させ、雄ネジにナット（図示省略）を螺合して締結されている。つまり、二枚の案内部１２は、棒状部材１３ａの円柱部分の長さだけ離れて平行対峙した状態になっている。加えて、それぞれの案内部１２の中心から突設された回転軸１１は、同一軸上に配設されている。
【００２０】
また、七本の棒状部材１３ａは、隣合う二本の棒状部材１３ａ間の長さが一部のみ消防ホース３０の接続金具３１を挿入可能な長さになり、その他は接続金具３１を挿入できない長さになるように配設されている。そして、七本の棒状部材１３ａに囲まれた二枚の案内部１２の中央部分は、接続金具３１が収容可能な大きさになっている。つまり、七本の棒状部材１３ａにより円柱状に囲まれた部分が巻付部１３になり、巻付部１３の内側の空間が収容空間１５になる。また、二本の棒状部材１３ａ間の長さが接続金具３１を挿入可能になっている部分が開口１４になる。そして、七本の棒状部材１３ａにより形成される円柱の側面がホース巻付面１３ｂになる。
【００２１】
運搬ハンドル１６は棒状の把持部１６ａの両端に二本の棒状の腕部１６ｂを有して略コ字状になっている。二本の腕部１６ｂは、案内部１２の半径よりも長くなっている。また、二本の腕部１６ｂのそれぞれの先端１６ｃには同一軸上に貫通孔が穿設されている。そして、運搬ハンドル１６は、この貫通孔に回転軸１１を挿通させることにより回転可能に取付けられている。
【００２２】
支持台１７は、矩形平板状の基台１７ａと、基台１７ａの上面に立設された二本の棒状の軸受支持部１７ｂ、軸受支持部１７ｂに支持された軸受部１７ｃを備えている。二本の軸受支持部１７ｂの長さは、案内部１２の半径より長くなっている。また、軸受部１７ｃは、略半円筒状であり、上方に凹部を向けた状態で二本の軸受支持部１７ｂのそれぞれの上端に連結されている。二本の軸受支持部１７ｂは、二枚の案内部１２の回転軸１１方向の幅を隔てて基台１７ａに立設されている。また、二個の軸受部１７ｃは、円筒の中心軸が同一軸上にある。これにより、巻取部材１０を上方から降下させて回転軸１１を軸受部１７ｃに係合させることにより、巻取部材１０を支持台１７に回転可能に支持させることができる。そして、巻取部材１０を上方に吊上げて巻取部材１０を支持台１７から取外すことができる。なお、軸受支持部１７ｂは棒状に限らず、平行に立設された二枚の板材でもよい。また、軸受部１７ｃが板材に穿設された孔部であり、板材の軸受部１７ｃよりも上側の部分が取外し可能になっている構成でもよい。
【００２３】
回転軸１１は、巻取部材１０を支持台１７に支持させたときに、軸受部１７ｃから突出する長さになっている。そして、軸受部１７ｃから突出した回転軸１１にクランク形の回転ハンドル１９を取付けることができる。これにより、回転ハンドル１９を回して支持台１７に支持された巻取部材１０を回転させることができる。なお、回転ハンドル１９の形状は、棒状や、円形でもよい。そして、回転ハンドル１９を着脱可能に回転軸１１に取付ける構成としては、回転軸１１に突起部が突設されており、回転ハンドル１９が回転軸１１を挿入可能なソケットを有し、ソケットに突起部と係合する部分を備える構成がある。または、回転軸１１の外周に雄ネジが形成され、或いは、回転軸１１の軸方向に穿設された孔部に雌ネジが形成され、回転ハンドル１９がこれに対応する孔部に形成された雌ネジ、或いは、外周に形成された雄ネジを有し、雄ネジと雌ネジの螺合により取付ける構成がある。更に、回転ハンドル１９は、回転軸１１に固定されてもよい。
【００２４】
誘導部材１８は、支持台１７に立設された棒状の誘導支持部１８ａと、誘導支持部１８ａに支持された誘導部１８ｂとを備えている。誘導部１８ｂは、扁平状態の消防ホース３０の幅よりも長い断面円形の二本の軸棒１８ｃで構成されている。二本の軸棒１８ｃは上下に扁平状態の消防ホース３０の厚さより僅かに（５ｍｍ〜１０ｍｍ）離れて平行な状態で一端が誘導支持部１８ａに連結されている。つまり、二本の軸棒１８ｃ間に消防ホース３０が扁平状態で挿通可能な隙間１８ｄが形成されている。また、二本の軸棒１８ｃの他端側は開放されている。この開放された他端側が差入孔１８ｅになる。消防ホース３０は、差入孔１８ｅから隙間１８ｄに容易に差入れることができる。
【００２５】
そして、誘導支持部１８ａは、隙間１８ｄを通過させた消防ホース３０が直線的に巻取部材１０に誘導される位置に二本の軸棒１８ｃを支持している。また、誘導支持部１８ａは、支持台１７に支持された巻取部材１０の二本の回転軸１１よりも高く、ホース巻付面１３ｂに略水平に消防ホース３０が巻付けられる位置に二本の軸棒１８ｃを支持している。これにより、隙間１８ｄに挿通された消防ホース３０の位置が地面よりも高くなるため、消防ホース３０内部に残留した水が自然に他端側へ排出されやすい。
【００２６】
ここで、二本の軸棒１８ｃ間の幅が変更可能になっていてもよい。例えば、上下方向に移動可能に取付けられた上側の軸棒１８ｃが誘導支持部１８ａに取付けられた押バネにより下方に付勢された状態で下側の軸棒１８ｃに当接している構成にすることができる。この場合は、押バネの付勢に抗して上側の軸棒１８ｃを上方に移動させ、消防ホース３０を二本の軸棒１８ｃの間に通したのち、上側の軸棒１８ｃを放してバネの付勢で消防ホース３０を挟むことができる。つまり、隙間１８ｄの高さを消防ホース３０の厚さに応じて変更することができる。また、二本の軸棒１８ｃは、誘導支持部１８ａに回転可能に連結されていてもよい。この場合は、消防ホース３０が隙間１８ｄを通過する際に軸棒１８ｃが回転するため、巻取りに要する力を小さくすることができる。或いは、隙間１８ｄは、基台１７ａに立設された板材に穿設された孔部とする構成でもよい。
【００２７】
このように、本実施形態の消防ホース敷設巻取装置１は、扁平状態の消防ホース３０よりも僅かに広い幅を隔てて平行対峙した二枚の円板状の案内部１２、二枚の案内部１２の中央部分を連結しており、消防ホース３０を巻付可能なホース巻付面１３ｂに設けられた開口１４から消防ホース３０の端部に取付けられた接続金具３１を挿入して内部の収容空間１５に収容可能に七本の軸棒部材１３ａで構成された巻付部１３、二枚の案内部１２のそれぞれの中心から外側へ同一軸上に突設された二本の回転軸１１を備えた巻取部材１０と、二本の回転軸１１にそれぞれ回転可能に取付けられ、二枚の案内部１２の径方向に延びた二本の腕部１６ｂ、二本の腕部を二枚の案内部１２の外側で連結する把持部１６ａを備えた運搬ハンドル１６と、二本の回転軸１１をそれぞれ回転可能、且つ着脱可能に支持する二個の軸受部１７ｃ、二個の軸受部１７ｃを、巻取部材１０が回転可能な高さで水平に支持する軸受支持部１７ｂ、軸受支持部１７ｂが配設された基台１７ａ、を備えた支持台１７と、回転軸１１に取付けられ、支持台１７に支持された巻取部材１０を回転させる回転ハンドル１９とを具備している。
【００２８】
また、本実施形態の消防ホース敷設巻取装置１は、二本の軸棒１８ｃで構成された消防ホース３０が扁平状態で挿通可能な隙間１８ｄ、隙間１８ｄに消防ホース３０を差入れ可能な差入孔１８ｅを有する誘導部１８ｂ、誘導部１８ｂの隙間１８ｄを通過した消防ホース３０が支持台１７に支持された巻取部材１０へ直線的に誘導される位置に誘導部１８ｂを支持しており、基台１７ａに配設された誘導支持部１８ａを備えた誘導部材１８を具備している。
【００２９】
ここで、本実施形態の消防ホース敷設巻取装置１を使用して消防ホース３０を敷設する手順について図３を用いて説明する。消防ホース３０は、巻取部材１０の巻付部１３にオス型の接続金具３１が収容され、一重巻で巻取られた状態で保管されている。
【００３０】
消防ホース３０が巻取られた巻取部材１０を敷設場所に運搬する。そして、消防ホース３０の一端側に取付けられたメス型の接続金具３１を消火栓、消防ポンプ車、または他の消防ホース３０に接続する。或いは、消防ホース３０が自重により引出されるように消防ホース３０を一定の長さ引出す。それから、作業者が運搬ハンドル１６を把持し、巻取部材１０を持上げた状態で消防ホース３０を敷設する方向に移動する。巻取部材１０が運搬ハンドル１６に回転可能に取付けられていることにより、巻取部材１０が回転し、消防ホース３０が順次引出される。この際、二枚の案内部１２により消防ホース３０が案内されることにより、移動方向に対して直線的に消防ホース３０が引出される。また、消防ホース３０が順次引出されて敷設されるため、巻かれた消防ホース３０を手作業で広げ、一端側の接続金具３１を牽引して敷設する従来の敷設方法と異なり、消防ホース３０が絡まりにくい。
【００３１】
従って、本実施形態の消防ホース敷設巻取装置１では、消防ホース３０を円滑に敷設することができる。
【００３２】
次に、本実施形態の消防ホース敷設巻取装置１を使用して消防ホース３０を巻取る手順について図４を用いて説明する。まず、支持台１７を設置し、支持台１７の軸受部１７ｃに巻取部材１０の回転軸１１を支持させ、回転軸１１に回転ハンドル１９を取付ける。
【００３３】
それから、オス型の接続金具３１を巻取部材１０側に向けた状態で消防ホース３０を差込孔１８ｅから二本の軸棒１８ｃ間に差込む。つまり、誘導部１８ｂの隙間１８ｄに消防ホース３０を挿通させる。隙間１８ｄに挿通した消防ホース３０を巻取部材１０側に引張り、オス型の接続金具３１を巻付部１３のホース巻付面１３ｂに設けられた開口１４から挿入して収容空間１５に収容する。或いは、消防ホース３０のオス型の接続金具３１を収容空間１５に収容したのち、消防ホース３０を誘導部１８ｂの隙間１８ｄに挿通させてもよい。
【００３４】
そして、回転ハンドル１９を回して巻取部材１０を回転させて消防ホース３０を巻取る。消防ホース３０は、誘導部１８ｂの隙間１８ｄを通過させることにより、扁平状態に畳まれ、巻取部材１０へ直線的に誘導される。これにより、消防ホース３０を巻取りやすい。更に、使用した消防ホース３０の内部に水が残留している場合は、隙間１８ｄを通過させることにより、残留した水が消防ホース３０の外へ排出される。これにより、巻取られた消防ホース３０に残留する水分量を低減することができ、消防ホース３０の運搬が容易になる。巻取り後、巻取部材１０を支持台１７から取外して、消防ホース３０を巻取部材１０と共に回収する。
【００３５】
従って、本実施形態の消防ホース敷設巻取装置１では、消防ホース３０を容易に巻取ることができる。
【００３６】
以上、本発明について好適な実施形態を挙げて説明したが、本発明は上記の実施形態に限定されるものではなく、本発明の要旨を逸脱しない範囲において、種々の改良及び設計の変更が可能である。
【００３７】
例えば、一つの支持台１７に対して巻取部材１０を複数備えてもよい。本実施形態の消防ホース敷設巻取装置１では、巻取部材１０と共に消防ホース３０を保管する構成であるため、複数の消防ホース３０を所有している場合は、複数の巻取部材１０を備えることが好ましい。
【００３８】
また、二枚の案内部１２の形状は円形に限らず、対称に配設された六角形や八角形等の多角形でもよい。この場合は、二枚の案内部１２の側辺を接地させて巻取部材１０を安定に自立させることができる。或いは、二枚の案内部１２は、複数の孔部が設けられたものや、略長方形状の板材が回転軸１１の周方向に等角度間隔に複数延びている形状でもよい。例えば、五枚の板材が回転軸１１の周方向に等角度間隔で延びた星形の案内部１２にすることができる。この場合は、案内部１２を軽量化することができる。
【００３９】
更に、支持台１７は、基台１７ａの下面に複数の車輪を備えていてもよい。例えば、長方形状の基台１７ａの四隅にそれぞれ車輪を取付けてもよい。この場合は、支持台１７に巻取部材１０を支持させた状態で支持台１７を移動させやすい。
【００４０】
加えて、巻付部１３は、棒状部材１３ａではなく板状の部材で二枚の案内部１２の中央部分を囲む構成でもよい。或いは、断面形状が円形や多角形の筒状の部材で構成されていてもよい。この場合は、筒状の部材の軸方向の長さを扁平状態の消防ホース３０の幅よりも僅かに長くし、収容空間となる筒状の部材の内部を接続金具３１よりも大きくする。また、筒状の部材の両端に二枚の案内部１２をそれぞれ連結する。そして、筒状の部材の側面であるホース巻付面に接続金具３１を挿通可能な開口を設けることにより、上記の巻付部材と同様に使用することができる。
【符号の説明】
【００４１】
１  消防ホース巻取装置
１０  巻取部材
１１  回転軸
１２  案内部
１３  巻付部
１３ｂ  ホース巻付面
１４  開口
１５  収容空間
１６  運搬ハンドル
１７  支持台
１８  誘導部
１９  回転ハンドル
【図１】
2017137147.tif 000003
【図２】
2017137147.tif 000004
【図３】
2017137147.tif 000005
【図４】
2017137147.tif 000006